(57)【要約】【課題】残像を利用したスクロール表示を行うものでありながら、縦方向及び横方向のスクロール表示を可能にしつつ、残像の減衰を抑えて表示画面を明るくする。【解決手段】ｎ行ｍ列のドット表示画面３に、文字又は図柄を、縦方向又は横方向にスクロール表示するスクロール式表示装置１であって、ドット表示画面３を、複数色の発光体５Ｒ、５Ｇ、５Ｂで構成される多色発光ドット６Ａと、該多色発光ドット６Ａの残像で多色表示を行う空きドット６Ｂとを配置して構成すると共に、該空きドット６Ｂを、縦方向及び横方向に５個以上連続しないように配置する。【選択図】        図２
2004157378.tif 000002
【特許請求の範囲】
【請求項１】
ｎ行ｍ列のドット表示画面に、文字又は図柄を、縦方向又は横方向にスクロール表示するスクロール式表示装置において、前記ドット表示画面を、複数色の発光体で構成される多色発光ドットと、該多色発光ドットの残像で多色表示を行う空きドットとを配置して構成すると共に、該空きドットを、縦方向及び横方向に５個以上連続しないように配置したことを特徴とするスクロール式表示装置。
【請求項２】
請求項１において、前記空きドットは、縦方向又は横方向に２個以上連続しないように配置されることを特徴とするスクロール式表示装置。
【請求項３】
請求項１又は２において、前記空きドットは、縦方向及び横方向に２個以上連続しないように配置されることを特徴とするスクロール式表示装置。
【請求項４】
請求項３において、前記空きドットは、前記ドット表示画面における奇数行の偶数列及び偶数行の奇数列に配置されることを特徴とするスクロール式表示装置。
【請求項５】
請求項３において、前記空きドットは、前記ドット表示画面における奇数行の奇数列及び偶数行の偶数列に配置されることを特徴とするスクロール式表示装置。
【請求項６】
請求項１乃至５において、前記空きドットに、単色の発光体を設けたことを特徴とするスクロール式表示装置。
【請求項７】
請求項６において、前記多色発光ドットに設けられる発光体の駆動制御によって、多色の文字又は図柄を残像スクロール表示する多色残像スクロール表示モードと、前記多色発光ドット及び空きドットに設けられる発光体の駆動制御によって、文字又は図柄を固定表示するフルドット固定表示モードとを備えることを特徴とするスクロール式表示装置。
【請求項８】
請求項７において、前記多色発光ドットに設けられる発光体の駆動制御によって、多色の文字又は図柄を固定表示する多色固定表示モードと、前記多色発光ドット及び空きドットに設けられる発光体の駆動制御によって、文字又は図柄をスクロール表示するフルドットスクロール表示モードとを更に備えることを特徴とするスクロール式表示装置。
【請求項９】
請求項７又は８において、前記表示モードの中から複数の表示モードを選択し、選択した複数の表示モードを同時に実行する複合表示モードを更に備えることを特徴とするスクロール式表示装置。
【請求項１０】
請求項９において、前記複合表示モードは、各表示モードの表示文字又は表示図柄をオーバーラップさせることを特徴とするスクロール式表示装置。
【請求項１１】
請求項１０において、前記複合表示モードは、複数の表示モードが同じ多色発光ドットを駆動対象としたとき、予め選択された表示モードを優先して多色発光ドットを駆動させることを特徴とするスクロール式表示装置。
【発明の詳細な説明】
【０００１】
【発明の属する技術分野】
本発明は、ｎ行ｍ列のドット表示画面に、文字又は図柄をスクロール表示するスクロール式表示装置の技術分野に属するものである。
【０００２】
【従来の技術】
一般に、この種のスクロール式表示装置としては、発光ダイオード等の発光体を縦横方向に等間隔で行列状に配列したマトリクス型の表示装置が普及している。例えば、横方向（行方向）に１６個、縦方向（列方向）に８０個の発光体が配列された縦長のドット表示画面を用意し、これらの発光体を、１６×１６ドットで一文字が構成されるビットマップ形式の文字列データを用い、これを順次縦方向にシフトしながら点灯制御すれば、所望の文字列が縦方向にスクロール表示される。
【０００３】
ところで、このようなスクロール式表示装置において、一度に表示する文字数を増やそうとする場合は、ドット表示画面の縦方向のドット数を多くしなければならない。また、精緻な表示が要求される場合は、一文字を表示するためのドット数を増やす必要がある。しかしながら、このように構成すると、当然ながら必要な発光体の個数が増え、スクロール式表示装置がコスト的に高いものになってしまうという問題がある。
【０００４】
そこで、ｍ個の発光体が縦方向に所定の間隔Ｄ１で配設された棒状表示器をｎ本用意し、これら棒状表示器を横方向に前記所定の間隔Ｄ１のａ倍（ａは正数）の間隔Ｄ２で配し、ｍ×ｍドットで一文字を表示する文字列データを用いて点灯制御するにあたり、ｉ番目の棒状表示器にｊ番目の文字列データを表示ドライブする場合に、（ｉ＋１）番目の棒状表示器には（ｊ−ａ）番目の文字列データを表示ドライブするよう点灯制御し、これを横方向に順次シフトさせるように構成したものが提案されている（例えば、特許文献１参照。）。
【０００５】
そして、上記のものでは、文字がスクロールされることによって、これを見る人に残像現象を起生し、あたかも、発光体が横方向に密な間隔で配置された表示装置に文字がスクロール表示されているかのような表現を行うことができる。これにより、発光体の必要個数を減少させながらも、質の高いスクロール表示を行うことが可能になる。
【０００６】
しかしながら、上記スクロール式表示装置は、棒状表示器を横方向に所定の間隔を開けて配設したものであるため、横方向に文字がスクロール表示されるときのみ残像を利用することができるものである。そのため、文字が縦方向にスクロール表示されるものにしようとする場合、発光体が配列された棒状表示器を所定間隔を存して縦方向に配列する必要があり、縦、横スクロール方向によって棒状表示器の配列構成を変化させる必要がある。その結果、視認性を高めるべく一つの画面で縦、横両方向にスクロールさせようとした場合では、前記のような残像を利用した低コストの表示装置を採用することができず、結果的にコストの高いものになってしまうという問題がある。
【０００７】
そこで、出願人は、ドット表示画面に配置される発光体を、行方向には大きい間隙を存し、列方向には小さい間隙を存して配置するにあたり、隣接する行の発光体同志は、前記小さい間隙分だけ行方向一方に位置ずれした関係とし、行、列各方向に対して予め設定される傾斜角度に密な間隙で並んだ傾斜状発光体群が、疎な間隙で平行並列されたものに構成されているスクロール式表示装置を提案した（特許文献２参照。）。このように構成されたスクロール式表示装置によれば、残像現象を利用して数少ない発光体でスクロール表示を行うものでありながら、ドット表示画面を固定したまま、縦方向及び横方向のスクロール表示を行うことが可能になる。
【０００８】
更に、出願人は、密な間隔で傾斜方向に並ぶ発光体群を、疎な間隔を存して並列配置し、残像現象を利用したスクロール表示を行うにあたり、２色以上の発光体群が、一画面にそれぞれ疎な間隔を存して並列配置されたものを提案した（特許文献３参照。）。このように構成されたスクロール式表示装置によれば、２色以上の発光体群の中から任意の発光体群を選択して点灯制御することにより、一画面で２色以上のスクロール表示を行うことが可能になる。（但し、このものは、１ドット−１色の構成であるため、１ドットの中で色を合成するカラー表示はできない。）
【０００９】
【特許文献１】
特許第２８０２０４９号公報（第２図）
【特許文献２】
特開２０００−２２１９０９号公報（第２図）
【特許文献３】
特開２０００−２２１９１０号公報（第２図）
【００１０】
【発明が解決しようとする課題】
しかしながら、上記特許文献１、２、３に示されるスクロール式表示装置では、密な間隔で並ぶ発光体群を、疎な間隔を存して並列配置することにより、ドット表示画面を構成しているため、残像現象を利用してスクロール表示を行うと、残像の減衰により、画面が暗く見えるという問題がある。
【００１１】
そこで、画面表示を明るくするために、１ドットの輝度を高めることが提案されるが、超高輝度の発光体を採用したり、発光体の個数を増やした場合には、結果的にコストが上り、残像利用によるコストダウン効果が薄れるという問題がある。
【００１２】
また、上記特許文献１、２に示されるスクロール式表示装置では、その表示形態がスクロール表示に限定されるため、文字などを固定表示することができず、その用途が限定されてしまうという問題がある。一方、特許文献３に示されるスクロール式表示装置では、解像度を落すことなく、文字などを固定表示することが可能であるが、２色以上のドットが混ざった表示となるため、単色の固定文字表示に比べ、視認性に劣るという問題がある。
【００１３】
【課題を解決するための手段】
本発明は、上記の如き実情に鑑み、これらの課題を解決することを目的として創作されたものであって、ｎ行ｍ列のドット表示画面に、文字又は図柄を、縦方向又は横方向にスクロール表示するスクロール式表示装置において、前記ドット表示画面を、複数色の発光体で構成される多色発光ドットと、該多色発光ドットの残像で多色表示を行う空きドットとを配置して構成すると共に、該空きドットを、縦方向及び横方向に５個以上連続しないように配置したことを特徴とする。つまり、多色発光ドットの残像で多色表示を行う空きドットが、縦方向及び横方向に５個以上連続しないように配置されるので、縦方向及び横方向のスクロール表示を行うことができると共に、残像の減衰を抑えて表示画面を明るくすることができる。また、多色発光ドットは、複数の発光体で構成されるため、１ドットの中で色を合成するカラー表示によって、表現力を高めることができるだけでなく、１ドットの中で複数の発光体を同時に点灯させることにより、表示画面を更に明るくし、その視認性を向上させることができる。
また、前記空きドットは、縦方向又は横方向に２個以上連続しないように配置されることを特徴とする。この場合においては、使用頻度が高いスクロール方向については、空きドットを２個以上連続しないように配置し、使用頻度が低いスクロール方向については、空きドットを５個以上連続しないように配置するなど、スクロール方向の使用頻度に応じて空きドットの連続個数を設定でき、その結果、使用頻度が高いスクロール方向の表示品質を維持しつつ、発光体の数を可及的に削減することが可能になる。
また、前記空きドットは、縦方向及び横方向に２個以上連続しないように配置されることを特徴とする。この場合においては、縦スクロール及び横スクロールの表示品質を高めることができる。
また、前記空きドットは、前記ドット表示画面における奇数行の偶数列及び偶数行の奇数列に配置されることを特徴とする。この場合においては、空きドットを、縦方向及び横方向に２個以上連続させない配置構成において、多色発光ドットの個数を最小限に抑え、本発明のスクロール式表示装置を安価に構成することができる。
また、前記空きドットは、前記ドット表示画面における奇数行の奇数列及び偶数行の偶数列に配置されることを特徴とする。この場合においては、空きドットを、縦方向及び横方向に２個以上連続させない配置構成において、多色発光ドットの個数を最小限に抑え、本発明のスクロール式表示装置を安価に構成することができる。
また、前記空きドットに、単色の発光体を設けたことを特徴とする。この場合においては、空きドットの発光体を、多色発光ドットの発光体と共に点灯制御することにより、解像度を落すことなく、文字や図柄を固定表示することが可能になる。
また、前記多色発光ドットに設けられる発光体の駆動制御によって、多色の文字又は図柄を残像スクロール表示する多色残像スクロール表示モードと、前記多色発光ドット及び空きドットに設けられる発光体の駆動制御によって、文字又は図柄を固定表示するフルドット固定表示モードとを備えることを特徴とする。この場合においては、表示内容に応じて多色残像スクロール表示モードとフルドット固定表示モードとの切換えを行うことにより、スクロール式表示装置の表現力を高めることができる。
また、前記多色発光ドットに設けられる発光体の駆動制御によって、多色の文字又は図柄を固定表示する多色固定表示モードと、前記多色発光ドット及び空きドットに設けられる発光体の駆動制御によって、文字又は図柄をスクロール表示するフルドットスクロール表示モードとを更に備えることを特徴とする。この場合においては、表示モードを増やすことにより、スクロール式表示装置の表現力を更に高めることができる。
また、前記表示モードの中から複数の表示モードを選択し、選択した複数の表示モードを同時に実行する複合表示モードを更に備えることを特徴とする。この場合においては、一つのドット表示画面上で表示方式（残像表示とフルドット表示）が異なるの複数の表示モードを実行することにより、スクロール式表示装置の表現力を更に高めることができる。
また、前記複合表示モードは、各表示モードの表示文字又は表示図柄をオーバーラップさせることを特徴とする。この場合においては、ドット表示画面の一部でフルドット固定文字表示を行いながら、画面全体で多色残像スクロール表示を行うなど、文字や図柄がオーバーラップする表現が可能になり、その結果、スクロール式表示装置の表現力を更に高めることができる。
また、前記複合表示モードは、複数の表示モードが同じ多色発光ドットを駆動対象としたとき、予め選択された表示モードを優先して多色発光ドットを駆動させることを特徴とする。この場合においては、文字や図柄がオーバーラップするとき、どちらを優先的に表示するかを予め選択できるため、所望のオーバーラップ表示を行うことが可能になる。
【００１４】
【発明の実施の形態】
次に、本発明の第一実施形態を図面に基づいて説明する。図面において、１は残像を利用して文字や図柄をスクロール表示するスクロール式表示装置であって、該スクロール式表示装置１は、表示装置本体２と、これを支えるスタンド２ａを備えて構成され、表示装置本体２の正面にドット表示画面３が形成される。ドット表示画面３は、例えば、１６×１６ドットの表示パネル４を、縦方向に２枚、横方向に３枚並べて構成され、１６×１６ドットのビットマップで構成される文字データであれば、３×２文字を同時に表示することができる。
【００１５】
表示パネル４は、多数の発光体５を基板上に配置して構成される。ここで使用される発光体５は、赤色発光体（赤色発光ダイオード）５Ｒ、緑色発光体（緑色発光ダイオード）及び青色発光体（青色発光ダイオード）５Ｂであり、赤色発光体５Ｒが、他の発光体５Ｇ、５Ｂに比べて半分程度の輝度しかない場合には、輝度を合わせるために、２個を１組として配置される。また、各発光体５Ｒ、５Ｇ、５Ｂには、発光形態が円のものと長円（楕円）のものとがあり、その発光形態に適した配置が採用される。また、各発光体５Ｒ、５Ｇ、５Ｂには、価格差があり、本実施形態では、赤色発光体５Ｒが安価で、他の発光体５Ｇ、５Ｂが高価なものとする。
【００１６】
図２及び図３は、表示パネル４における表示ドット６の２つの配置例を示している。何れの配置パターンにおいても、表示パネル４には、発光体５Ｒ、５Ｇ、５Ｂによって１６×１６の表示ドット６が構成される。図２及び図３では、各表示ドット６を明確にするため、各表示ドット６の領域を仮想線（２点鎖線）で示している。
【００１７】
表示パネル４上に構成される表示ドット６には、複数色の発光体５Ｒ、５Ｇ、５Ｂで構成される多色発光ドット６Ａと、多色発光ドット６Ａの残像で多色表示を行う空きドット６Ｂとの２種類があり、ここで、空きドット６Ｂは、縦方向及び横方向に５個以上連続しないように表示パネル４上に配置される。特に、本実施形態では、空きドット６Ｂが縦方向及び横方向に２個以上連続しないように配置しており、言い換えると、空きドット６Ｂの上下方向及び左右方向には、必ず多色発光ドット６Ａが隣接するドット配置構成となっている。また、本実施形態の表示パネル４では、後述する固定表示を行うために、空きドット６Ｂにも単色の発光体５Ｒが設けられている。
【００１８】
図２及び図３は、空きドット６ｂを縦方向及び横方向に２個以上連続させないドット配置において、多色発光ドット６Ａの数が最小となる配置パターンを示しており、図２に示す配置パターンでは、空きドット６Ｂが、表示パネル４における奇数行の偶数列及び偶数行の奇数列に配置され、また、図３に示す配置パターンでは、空きドット６Ｂが、表示パネル４における奇数行の奇数列及び偶数行の偶数列に配置されている。
【００１９】
図４〜図６は、各表示ドット６における発光体５Ｒ、５Ｇ、５Ｂの配置パターンを示している。これらの図は、表示パネル４における左上コーナ部の４ドットを示しており、この４ドットの配置パターンを縦横方向に連続させることによって、表示パネル４が構成される。そして、図４は、円形発光タイプの発光体５Ｒ、５Ｇ、５Ｂを用い、かつ、赤色発光体５Ｒを２個１組で扱う場合の配置パターン、図５は、円形発光タイプの発光体５Ｒ、５Ｇ、５Ｂを用い、これらを多色発光ドット６Ａに１個ずつ設ける場合の配置パターン、図６は、長円形発光タイプの発光体５Ｒ、５Ｇ、５Ｂを用い、これらを多色発光ドット６Ａに１個ずつ設ける場合の配置パターンをそれぞれ示しているが、上記の各配置パターンを、左右反転させた配置パターン、上下反転させた配置パターン、９０゜左回転させた配置パターン、９０゜右回転させた配置パターン、１８０゜回転させた配置パターンとしてもよい。また、上記の各配置パターンでは、多色発光ドット６Ａにおける発光体５Ｒ、５Ｇ、５Ｂの色配置を任意に並べ換えることができるものとする。
【００２０】
図７は、ドット表示画面３を表示制御する表示制御回路の一例を示している。この表示制御回路は、所定個数（例えば１６個）の発光体５Ｒ、５Ｇ、５Ｂを対象とし、これらを個別にＯＮ／ＯＦＦ駆動可能な複数のＬＥＤ駆動ＩＣ７と、これらのＬＥＤ駆動ＩＣ７に駆動制御信号を送る表示制御部８と、該表示制御部８に表示データ、表示モード、表示スケジュールなどを入力するメモリカード９とを備えて構成されている。
【００２１】
各ＬＥＤ駆動ＩＣ７は、所定ビット（例えば１６ビット）のシフトレジスタ、ラッチ回路及びドライバを備えて構成され、互いに直列状に接続されている。表示制御部８が一連の表示信号を先頭のＬＥＤ駆動ＩＣ７に対して出力すると、それがシフトレジスタを介して、順次隣接するＬＥＤ駆動ＩＣ７に伝達される。そして、所定のタイミングで表示信号をラッチすると、ラッチされた表示信号に基づいて、ドライバが各発光体５Ｒ、５Ｇ、５Ｂを駆動させる構成となっている。これにより、表示制御部８による各発光体５Ｒ、５Ｇ、５Ｂの点灯制御が可能になる。
【００２２】
多色発光ドット６Ａでは、例えば、各発光体５Ｒ、５Ｇ、５Ｂを２５６階調で制御することにより、フルカラー表示が可能となるが、本実施形態では、各発光体５Ｒ、５Ｇ、５Ｂを階調制御することなく、ＯＮ／ＯＦＦ制御の組み合せによって、下記の１０色を表現するものとする。
１）赤色２個点灯
２）緑色点灯
３）青色点灯
４）赤色１個＋緑色点灯
５）赤色１個＋青色点灯
６）赤色２個＋緑色点灯
７）赤色２個＋青色点灯
８）緑色＋青色点灯
９）赤色１個＋緑色＋青色点灯
１０）赤色２個＋緑色＋青色点灯
【００２３】
表示制御部８は、ＣＰＵ、ＲＯＭ、ＲＡＭなどを備えて構成され、メモリカード９に格納される表示データ、表示モード、表示スケジュールなどに応じて、前記ＬＥＤ駆動ＩＣ７に表示信号を出力する。表示データは、例えば、一文字が１６×１６ドットで構成される文字列データや、任意のドット数で構成される図柄データである。表示モードには、多色残像スクロール表示モードと、フルドット固定表示モード（単色、多色）と、多色固定表示モードと、フルドットスクロール表示モードと、複合表示モードとの５つがあり、以下、各表示モードを順番に説明する。
【００２４】
図８は、多色残像スクロール表示モードの作用を示している。多色残像スクロール表示モードは、多色発光ドット６Ａに設けられる発光体５Ｒ、５Ｇ、５Ｂの駆動制御によって、多色の文字又は図柄を残像スクロール表示する表示モードである。この表示モードでは、例えば「開」という文字を右から左へスクロール表示する場合、多色発光ドット６Ａのみを駆動対象とし、ビットマップで構成される文字データを、順次左側にシフトさせながら多色発光ドット６Ａの発光体５Ｒ、５Ｇ、５Ｂを駆動させる。このとき、空きドット６Ｂは、発光していないが、同じ文字データをスクロールさせることにより、人の目には、空きドット６Ｂの位置にも多色発光ドット６Ａの残像が現出し、あたかも、多色発光ドット６Ａがスクロール方向に密な間隔で配置された画面に文字がスクロール表示されているかのように見える。
【００２５】
このように多色残像スクロール表示モードでは、残像を利用してを多色の文字や図柄を表示するが、本発明のドット表示画面３では、前述したように、多色発光ドット６Ａの残像で多色表示を行う空きドット６Ｂが、縦方向及び横方向に５個以上連続しないように配置されるので、縦方向及び横方向のスクロール表示を行うことができると共に、残像の減衰を抑えて表示画面を明るくすることができる。
【００２６】
また、多色発光ドット６Ａは、複数の発光体５Ｒ、５Ｇ、５Ｂで構成されるため、１ドットの中で色を合成するカラー表示によって、表現力を高めることができるだけでなく、１ドットの中で複数の発光体５Ｒ、５Ｇ、５Ｂを同時に点灯させることにより、表示画面を更に明るくし、その視認性を向上させることが可能になる。
【００２７】
図９は、フルドット固定表示モードの作用を示している。この図に示すように、フルドット固定表示モードでは、多色発光ドット６Ａ及び空きドット６Ｂに設けられる赤色発光体５Ｒの駆動制御によって、単色の文字又は図柄を固定表示したり、多色発光ドット６Ａに設けられる発光体５Ｒ、５Ｇ、５Ｂ、及び空きドット６Ｂに設けられる赤色発光体５Ｒの駆動制御によって、多色の文字又は図柄を固定表示する表示モードである。つまり、多色発光ドット６Ａ及び空きドット６Ｂに設けられる赤色発光体５Ｒは、画面全体において密な間隔でマトリクス状に配置されているので、これらを駆動させれば、残像を利用しない単色固定表示が可能になる。また、この単色固定表示に、多色発光ドット６Ａに設けられる発光体５Ｇ、５Ｂを加えれば、多色の固定表示が可能になる。これにより、残像を利用した多色残像スクロール表示を行うものでありながら、空きドット６Ｂに安価な赤色発光体５Ｒを設けるだけで、文字などを固定表示することが可能になる。
【００２８】
多色固定表示モードは、多色発光ドット６Ａに設けられる発光体５Ｒ、５Ｇ、５Ｂの駆動制御によって、多色の文字又は図柄を固定表示する表示モードである。この表示モードでは、表示解像度が低下するが、ドット数が多いドット表示画面３では、文字などを大きく表示することにより、多色の固定文字表示も可能になる。
【００２９】
フルドットスクロール表示モードは、前記多色発光ドット及び空きドットに設けられる発光体の駆動制御によって、文字又は図柄をスクロール表示する表示モードである。この表示モードでは、前記多色残像スクロール表示モードよりも明るいスクロール表示が可能になる。
【００３０】
複合表示モードは、前記表示モードの中から複数の表示モードを選択し、選択した複数の表示モードを同時に実行する表示モードである。この表示モードは、図１０に示すように、各表示モードによって生成されるビットマップデータを、ソフトウエアで合成処理することに実現する。この表示モードによれば、一つのドット表示画面３で表示方式（残像表示とフルドット表示）が異なるの複数の表示モードを実行することにより、スクロール式表示装置１の表現力を更に高めることができる。
【００３１】
また、複合表示モードでは、上記のように画像合成処理を行うことにより、各表示モードの表示文字又は表示図柄をオーバーラップさせることができる。例えば、ドット表示画面３の一部でフルドット固定文字表示を行いながら、画面全体で多色残像スクロール表示を行うなど、文字や図柄がオーバーラップする表現が可能になる。
【００３２】
また、複合表示モードは、複数の表示モードが同じ多色発光ドット６Ａを駆動対象としたとき、予め選択された表示モードを優先して多色発光ドット６Ａを駆動させる。つまり、複合表示モードを行う場合は、オーバーラップ時に優先する表示モードをコマンドなどで指定することにより、所望のオーバーラップ表示を行うことが可能になる。例えば、「開」という文字をフルドット固定表示モードで表示しつつ、「■」という文字を多色残像スクロール表示モードで表示するにあたり、フルドット固定表示モードを優先モードとした場合は、図１０の（Ａ）に示すような画像合成処理が行われ、多色残像スクロール表示モードを優先モードとした場合は、図１０の（Ｂ）に示すような画像合成処理が行われる。
【００３３】
叙述の如く構成された第一実施形態のスクロール式表示装置１は、ｎ行ｍ列のドット表示画面３に、文字又は図柄を、縦方向又は横方向にスクロール表示するスクロール式表示装置１であって、ドット表示画面３を、複数色の発光体５Ｒ、５Ｇ、５Ｂで構成される多色発光ドット６Ａと、該多色発光ドット６Ａの残像で多色表示を行う空きドット６Ｂとを配置して構成すると共に、該空きドット６Ｂを、縦方向及び横方向に２個以上連続しないように配置したため、縦方向及び横方向のスクロール表示を行うことができると共に、残像の減衰を最小限に抑えて表示画面を明るくすることができる。
【００３４】
また、多色発光ドット６Ａは、複数の発光体５Ｒ、５Ｇ、５Ｂで構成されるため、１ドットの中で色を合成するカラー表示によって、表現力を高めることができるだけでなく、１ドットの中で複数の発光体５Ｒ、５Ｇ、５Ｂを同時に点灯させることにより、表示画面を更に明るくし、その視認性を向上させることができる。
【００３５】
また、空きドット６Ｂを、ドット表示画面３における奇数行の偶数列及び偶数行の奇数列、又は、奇数行の奇数列及び偶数行の偶数列に配置した場合には、空きドット６Ｂを、縦方向及び横方向に２個以上連続させないドット配置構成において、多色発光ドット６Ａの個数を最小化することができる。
【００３６】
また、空きドット６Ｂに、単色の発光体５Ｒを設けたので、この発光体５Ｒを、多色発光ドット６Ａの発光体５Ｒと共に点灯制御することにより、解像度を落すことなく、文字や図柄を固定表示することができる。
【００３７】
また、多色発光ドット６Ａに設けられる発光体５Ｒ、５Ｇ、５Ｂの駆動制御によって、多色の文字又は図柄を残像スクロール表示する多色残像スクロール表示モードと、多色発光ドット６Ａ及び空きドット６Ｂに設けられる発光体５Ｒ、５Ｇ、５Ｂの駆動制御によって、文字又は図柄を固定表示するフルドット固定表示モードとを備えるため、表示内容に応じて多色残像スクロール表示モードとフルドット固定表示モードとの切換えを行うことにより、スクロール式表示装置１の表現力を高めることができる。
【００３８】
また、多色発光ドット６Ａに設けられる発光体５Ｒ、５Ｇ、５Ｂの駆動制御によって、多色の文字又は図柄を固定表示する多色固定表示モードと、多色発光ドット６Ａ及び空きドット６Ｂに設けられる発光体５Ｒ、５Ｇ、５Ｂの駆動制御によって、文字又は図柄をスクロール表示するフルドットスクロール表示モードとを更に備えるため、表示モードを増やすことにより、スクロール式表示装置１の表現力を更に高めることができる。
【００３９】
また、表示モードの中から複数の表示モードを選択し、選択した複数の表示モードを同時に実行する複合表示モードを更に備えるため、一つのドット表示画面３上で表示方式（残像表示とフルドット表示）が異なるの複数の表示モードを実行することにより、スクロール式表示装置１の表現力を更に高めることができる。
【００４０】
また、複合表示モードは、各表示モードの表示文字又は表示図柄をオーバーラップさせるため、ドット表示画面３の一部でフルドット固定文字表示を行いながら、画面全体で多色残像スクロール表示を行うなど、文字や図柄がオーバーラップする表現が可能になり、その結果、スクロール式表示装置１の表現力を更に高めることができる。
【００４１】
また、複合表示モードは、複数の表示モードが同じ多色発光ドット６Ａを駆動対象としたとき、予め選択された表示モードを優先して多色発光ドット６Ａを駆動させるため、文字や図柄がオーバーラップするとき、どちらを優先的に表示するかを予め選択し、所望のオーバーラップ表示を行うことができる。
【００４２】
尚、本発明は、前記実施形態に限定されないことは勿論であって、例えば、前記実施形態では、空きドット６Ｂを、縦方向及び横方向に２個以上連続しないように配置しているが、空きドット６Ｂを、縦方向及び横方向に５個以上連続しないように配置したものであっても、必要な明るさを確保できる場合がある。
また、空きドット６Ｂが、縦方向及び横方向に５個以上連続せず、かつ、縦方向又は横方向に２個以上連続しないように配置した場合には、使用頻度が高いスクロール方向については、空きドットを２個以上連続しないように配置し、使用頻度が低いスクロール方向については、空きドットを５個以上連続しないように配置するなど、スクロール方向の使用頻度に応じて空きドットの連続個数を設定でき、その結果、使用頻度が高いスクロール方向の表示品質を維持しつつ、発光体の数を可及的に削減することが可能になる。
また、図１１に示す第二実施形態のように、空きドット６Ｂに発光体を設けることなく、専ら多色残像スクロール表示を行うようにしてもよい。
【図面の簡単な説明】
【図１】スクロール式発光装置の正面図である。
【図２】表示パネルにおける発光体の配置例を示す配置パターン図である。
【図３】表示パネルにおける発光体の他の配置例を示す配置パターン図である。
【図４】（Ａ）、（Ｂ）は表示ドットにおける発光体の配置例を示す配置パターン図である。
【図５】表示ドットにおける発光体の他の配置例を示す配置パターン図である。
【図６】表示ドットにおける発光体の他の配置例を示す配置パターン図である。
【図７】表示制御回路の構成を示すブロック図である。
【図８】多色残像スクロール表示モードの作用説明図である。
【図９】フルドット固定表示モードの作用説明図である。
【図１０】（Ａ）は複合表示モードにおいてフルドット固定表示モードを優先モードとした場合の作用説明図、（Ｂ）は複合表示モードにおいて多色残像スクロール表示モードを優先モードとした場合の作用説明図である。
【図１１】第二実施形態の表示パネルにおける発光体の配置例を示す配置パターン図である。
【符号の説明】
１    スクロール式表示装置
２    表示装置本体
２ａ  スタンド
３    ドット表示画面
４    表示パネル
５Ｒ  赤色発光体
５Ｇ  緑色発光体
５Ｂ  青色発光体
６Ａ  多色発光ドット
６Ｂ  空きドット
７    ＬＥＤ駆動ＩＣ
８    表示制御部
９    メモリカード
【図１】
2004157378.tif 000003
【図２】
2004157378.tif 000004
【図３】
2004157378.tif 000005
【図４】
2004157378.tif 000006
【図５】
2004157378.tif 000007
【図６】
2004157378.tif 000008
【図７】
2004157378.tif 000009
【図８】
2004157378.tif 000010
【図９】
2004157378.tif 000011
【図１０】
2004157378.tif 000012
【図１１】
2004157378.tif 000013